(57)【要約】【課題】安定した保持状態とすることができ、スリーブ４の他方開放端部の把持力が一方開放端部の把持力に拘束されず十分にプラグフェルール１０に伝わり、プラグフェルール１０とファイバスタブ１の位置関係が安定することになり、接続損失の変動がなくなる。【解決手段】フェルール２の貫通孔に光ファイバ３を挿入固定したファイバスタブ１と、該ファイバスタブ１の先端側と、一方の開放端部から挿入するとともに、上記ファイバスタブ１の先端面に他方端部から挿入されたプラグフェルール１０を当接保持するためのスリーブ４からなる光レセプタクル７において、上記プラグフェルール１０を把持する把持力を上記スリーブ４の一方の開放端部付近で最も強くなる補強構造。【選択図】図１
2004325605.tif 000002
【特許請求の範囲】
【請求項１】
フェルールの貫通孔に光ファイバを挿入固定したファイバスタブと、該ファイバスタブの先端部を一方の開放端部から挿入するとともに、他方の開放端部から挿入されたプラグフェルールを上記ファイバスタブの先端面に当接し、かつ、把持するためのスリーブとを備えた光レセプタクルにおいて、
上記スリーブは、該スリーブのプラグフェルールを把持する把持力が、他方の開放端部付近で最も強くなる補強構造を備えたことを特徴とする光レセプタクル。
【請求項２】
上記スリーブの長手方向にスリットが設けられていることを特徴とする請求項１記載の光レセプタクル。
【請求項３】
上記補強構造は、上記スリーブの他方の開放部における厚みが、一方の開放端部よりも厚くしてなることを特徴とする請求項１又は２に記載の光レセプタクル。
【請求項４】
上記スリーブの貫通孔の内径を同一径としたことを特徴とする請求項３記載の光レセプタクル。
【請求項５】
上記光レセプタクルにおいて、上記スリーブにジルコニアセラミックスを用いたことを特徴とする請求項１〜４のいずれかに記載の光レセプタクル。
【請求項６】
請求項１￣５の何れかに記載の光レセプタクルの上記ファイバスタブの後端部から光信号を出射する光素子を収納したケースを取り付けたことを特徴とする光モジュール。
【発明の詳細な説明】
【０００１】
【発明の属する技術分野】
本発明は、光レセプタクルとこれを用いた光モジュールに関するものである。
【０００２】
【従来の技術】
光信号を電気信号に変換するための光モジュールは、半導体レーザーやフォトダイオード等の光素子をケース内に収納し、光ファイバを通じて光信号を導入又は導出するような構造となっている（特許文献１参照）。
【０００３】
上記光モジュールのうちコネクタを接続するようにしたレセプタクル型の光モジュールは、図４に示すような光レセプタクル１４の一端にＬＤ等の光素子２２を備えるとともに、他端に光コネクタ（ＳＣコネクタ等）のプラグフェルール１５を接続するものである。
【０００４】
上記光レセプタクル１４は、ジルコニア、アルミナ等のセラミック材料からなるフェルール１７と、フェルール１７の貫通孔に石英ガラス等からなる光ファイバ１８を挿入固定して得られたファイバスタブ１６の後端側をホルダ２０に圧入により固定し、先端側をスリーブ１９の一方開放端部の内孔に挿入して把持する。そして、それをスリーブケース２１に圧入又は接着固定することによって構成されている。
【０００５】
さらに上述の光レセプタクル１４を用いて光モジュールを構成する場合は、光レセプタクル１４に備えたファイバスタブ１６の後端面側に、上述のような光素子２２にレンズ２３を備えたケース２４を溶接により接合し、スリーブ１９の他方の開放端部からプラグフェルール１５を挿入し、ファイバスタブ１６の端面（光ファイバ１８の端面）に当接させ、光信号のやりとりを行うことができる。
【０００６】
近年、高密度実装の要求から光モジュールの小型化が求められており、光レセプタクル１４の全長も短くすることが求められている。また光レセプタクル１４に接続されるコネクタもＳＣコネクタ等からＬＣコネクタ等のより小さなコネクタが使用されている。
【０００７】
そこで図５に示すように、フェルール１７の貫通孔に光ファイバ１８を挿入固定したファイバスタブ１６、ファイバスタブ１６の先端面に接続されるプラグフェルール１５を把持するためのスリーブ１９、スリーブ１９の一方の開放端部外周に圧入され、スリーブ１９の自由な変形を拘束する把持リング２５からなる光レセプタクル２６が提案された（特許文献２参照）。このような把持リング２０を用いることによって、ファイバスタブ１６がスリーブ１９に保持されている長さＬ２を短くしても十分なファイバスタブ１６の把持力を得ているものである。
【０００８】
上述の光レセプタクル２６を用いて光モジュールを構成する場合は、図６に示すように光レセプタクル２６のファイバスタブ１６を備えた後端面側に、光素子２２とレンズ２３を備えたケース２４を溶接により接合し、スリーブ１９の他方開放端側にプラグフェルール１５を挿入し、ファイバスタブ１６の先端面に当接させて光信号のやりとりがおこなわれている。
【０００９】
このとき、フェルール１７の外径は、ＳＣコネクタを接続するタイプのものがφ２．５ｍｍ程度、ＬＣコネクタを接続する小型タイプのものがφ１．２５ｍｍ程度、外径公差は±１μｍ以下で、その貫通孔に備えられた光ファイバ１８の外径は１２５μｍ程度、外径公差は±１μｍ程度とＪＩＳ規格やＩＥＣ規格等で規定されているが、従来から、光ファイバ１８の中心に形成された光信号を伝搬する直径１０μｍ程度のコア（不図示）同士を損失の少ない接続とするため、それぞれの部品（スリーブ１９、フェルール１７等）は高精度に加工されており、スリーブ１９によってファイバスタブ１６及びプラグフェルール１５を安定且つ高精度に把持する構造となっている。
【００１０】
なお、上記ファイバスタブ１６における光ファイバ１８の端面は、当接時の接続損失を減らすために曲率半径５〜３０ｍｍ程度の曲面に鏡面研磨されており、反対側の端面は、光素子２２から出射された光信号が光ファイバ１８の先端部で反射して光素子に戻る反射光を防止するため、光ファイバ１８を挿通するフェルール１７とともに４〜１０°程度の傾斜面に鏡面研磨されている。
【００１１】
【特許文献１】特開２００１−６６４６８号公報
【００１２】
【特許文献２】特許第３３１４６６７号公報
【００１３】
【発明が解決しようとする課題】
しかしながら、図４に示す従来の光レセプタクル１４の場合、小型化の要求に応えるためＳＣコネクタのφ２．５ｍｍフェルール１７からＬＣコネクタのφ１．２５ｍｍフェルール１７に寸法を変更した場合、フェルール１７の外径が小さくなることに伴いフェルール１７の外径面積は約１／２に減少するため、ホルダ２０とファイバスタブ１６の接触面積が大きく減少し、固定強度が非常に小さくなり、光コネクタ接続時にプラグフェルール１５に横荷重がかかった際に、ファイバスタブ１６がスリーブ１９に保持されずにぐらついてしまい、接続損失の再現性を悪くしてしまうという問題があった。
【００１４】
また、図５に示すような光レセプタクル２６の場合、把持リング２５がスリーブ１９の自由な変形を拘束するため、プラグフェルール１５をスリーブ１９に挿入、抜去した際のスリーブ１９の変形が不均一となるので挿入力、抜去力が不安定となり、着脱性が悪くなるという問題があった。
【００１５】
さらに、ファイバスタブ１６がスリーブ１９に保持されている長さＬ２を短くしているため、固定強度が非常に小さくなり、光コネクタ接続時にプラグフェルール１５に横荷重がかかった際に、ファイバスタブ１６がスリーブ１９に把持されずにぐらついてしまい、接続損失の再現性を悪くしてしまうという問題があった。
【００１６】
またさらに、把持状態が不安定であるため、相互の光ファイバ接続部にすべりが生じ、光ファイバ１８の端面に傷をつけることがあり、光信号の導入導出が不能になる問題があった。
【００１７】
【課題を解決するための手段】
上記に鑑みて本発明の光レセプタクルは、フェルールの貫通孔に光ファイバを挿入固定したファイバスタブと、該ファイバスタブの先端部を一方の開放端部から挿入するとともに、他方の開放端部から挿入されたプラグフェルールを上記ファイバスタブの先端面に当接し、かつ、把持するためのスリーブとを備えた光レセプタクルにおいて、上記スリーブは、該スリーブのプラグフェルールを把持する把持力が、他方の開放端部付近で最も強くなる補強構造を備えたことを特徴とする。
【００１８】
また、上記スリーブの長手方向にスリットが設けられていることを特徴とする。
【００１９】
更には、上記補強構造は、上記スリーブの他方の開放部における厚みが、一方の開放端部よりも厚くしたことを特徴とする。
【００２０】
しかも、上記スリーブの貫通孔の内径を同一径としたことを特徴とする。
【００２１】
そして、上記光レセプタクルにおいて、上記スリーブにジルコニアセラミックスを用いたことを特徴とする。
【００２２】
また、上記光レセプタクルの上記ファイバスタブの後端部から光信号を出射する光素子を収納したケースを取り付けたことを特徴とする。
【００２３】
【発明の実施の形態】
以下、本発明の実施の形態を図面にもとづいて説明する。
【００２４】
図１は、本発明の光レセプタクル７の一実施形態を示す断面図であり、本発明の光レセプタクル７は、フェルール２の貫通孔に光ファイバ３を挿入固定したファイバスタブ１と、ファイバスタブ１の先端部を一方の開放端部から挿入するとともに、他方の開放端部から挿入されたプラグフェルール１０をファイバスタブ１の先端面に当接し、かつ、把持するためのスリーブ４とを備えたものである。しかも、本発明では、スリーブ４は、そのプラグフェルール１０を把持する把持力が、他方の開放端部付近で最も強くなる補強構造を備えたことを特徴としている。
【００２５】
従って、スリーブ４の開放端部付近であるから、開放端部でもよく、その手前でも構わない。
【００２６】
スリーブ４は図１に示すように円筒状に形成されたもので、長手方向にスリットが設けていても構わない。このスリーブ４は外径が長手方向に渡って同一径となっていて、また、スリーブ４の一方方開放端側の内径は挿入されるプラグフェルール１０に対して数ミクロン小さい径に形成されている。また、スリーブ４の他方の開放部における厚みが、一方の開放端部よりも厚くなるように内径が一方の開放端部よりも他方の開放端部の方が小さく形成されている。このことによりスリーブ４内に挿入されるプラグフェルール１０に対してバネによる把持力が作用する。
【００２７】
本発明の光レセプタクル７に用いるスリーブ４は、一例としてプラグフェルール１０の外径を２．４９９ｍｍとした時に、スリーブ４の内径を２．４９３ｍｍ、そしてスリーブ４の他方開放端部付近の半径方向の厚みは内径だけを異ならせて中央部より０．１ｍｍ程度厚くしている。尚、この厚みの差は上記厚みの差に限定されるものではなく、スリーブ４内に挿入されるプラグフェルール１０の外径の寸法の許容範囲の大きさによって適宜決定される。
【００２８】
即ち、スリーブ４内に挿入されるプラグフェルール１０に対して、スリーブ４の他方開放端部付近のバネの把持力はプラグフェルール１０の挿入終了点が最も強くなるようになっていればよい。
【００２９】
このように構成されていることにより、スリーブ４にプラグフェルール１０が挿入され、該プラグフェルール１０に横荷重がかかっても、スリーブ４の他方開放端部付近で強くプラグフェルール１０を把持することになり、プラグフェルール１０にかかる横荷重に対して十分な耐力を有することが可能となる。
【００３０】
この結果、従来はスリーブ４の一方開放端部にファイバスタブ１を保持することにより、スリーブ４の他方開放端部に挿入されるプラグフェルール１０の把持力に拘束されてしまうのに対して、スリーブ４の他方開放端部の把持力が一方開放端部の把持力に拘束されず十分にプラグフェルール１０に伝わり、プラグフェルール１０とファイバスタブ１の位置関係が安定することになり、接続損失の変動がなくなる。
【００３１】
尚、上記実施例においては、スリーブ４の材質は弾性を有しバネが作用するものであれば良いが、例えば、燐青銅、ベリリウム銅、黄銅、ステンレス等の他の金属やエポキシ、液晶ポリマー等プラスチック、セラミック等を使用することが出来る。
【００３２】
この中でも特に、ジルコニアセラミックスで形成することが好ましい。具体的には、ＺｒＯ２を主成分とし、Ｙ２Ｏ３、ＣａＯ、ＭｇＯ、ＣｅＯ２、Ｄｙ２Ｏ３などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００３３】
上記スリーブ４の加工方法としては、例えばジルコニアセラミックスから形成する場合、予め射出成形、プレス成形、押出成形等の所定の成形法によってスリーブとなる円筒状の成形体を得、その後、その成形体を１３００〜１５００℃で焼成し、所定の寸法に研削加工または研磨加工を施す。なお、成形体に切削加工等によって予め所定の形状を形成しておき、その後焼成を行ってもよい。
【００３４】
次に、本発明の光レセプタクルに用いるスリーブ４の補強構造について図２を用いて様々な構造を説明する。
【００３５】
図２（ａ）のスリーブ４は外周面４ｂが長手方向に直線状（円筒状）の同一径であり、スリット４ｄが長手方向の他方の開放端部４ａから一方の開放端部に向けて連続して形成されている。この補強構造として内周面４ｃはプラグフェルール１０の挿入終了点４ｅから開放端部４ａに向かい内径が小さくしたものである。この補強構造は、開放端部４ａの厚みが厚くなるので、プラグフェルール１０を挿入した時に開放端部４ａの把持力が強くなる。
【００３６】
次に、図２（ｂ）のスリーブ４は内周面４ｃが長手方向に直線状で同一径であり、スリット４ｄは開放端部４ａから挿入終了点４ｅまで形成されている。また、挿入終了点４ｅから他方の開放端部まではスリット４ｄを有しない構造となっている。補強構造としては、挿入終了点４ｅから一方の開放端部４ａに向かいスリーブ４の外周面４ｂの外径が大きくした構造である。この図は図２（ａ）と比較して外周面４ａの厚みを増した形状である。これにより、開放端部４ａの厚みが厚くなることにより、プラグフェルール１０を挿入した時、開放端部４ａの把持力を強くなる。
【００３７】
また、図２（ｃ）のスリーブ４は内周面４ｃが長手方向に直線状（円筒状）で同一径としており、スリット４ｄが長手方向の開放端部４ａから他方端部に向けて連続して形成されている。補強構造として、スリーブ４の外周面４ｂが開放端部４ａ付近で段付形状となり、厚みが大きくなることでプラグフェルール１０を挿入した時、開放端部４ａの把持力が強くなる。図２（ａ）、図２（ｂ）に比べ外周の開放端付近のみの厚みが大きくなっていることが異なる点であり、これによりスリーブケース６の一部分のみこれに対応する凹部を形成することにより、簡単な構成で光レセプタクルを構成できるという効果を有する。
【００３８】
ここで、スリーブ４の挿入終了点４ｅの厚みｔがスリーブ内径Ｄの０．１５〜０．２５倍、開放端部４ａの厚みＴがスリーブ内径Ｄの０．２５〜０．２５倍の範囲内であることが望ましい。一般的にスリーブ４の内径Ｄは、φ１．２５ｍｍもしくはφ２．５ｍｍである。
【００３９】
例えばφ１．２５ｍｍのスリーブであれば、挿入終了点４ｅの厚みｔが０．１８７５〜０．３１２５ｍｍ、開放端部４ａの厚みＴが０．３１２５〜０．４３７５ｍｍの範囲内であり、またφ２．５ｍｍのスリーブ４であれば、挿入終了点４ｅの厚みｔが０．３７５〜０．６２５ｍｍ、開放端部４ａの厚みＴが０．６２５〜０．８７５ｍｍの範囲内であることが望ましい。
【００４０】
この理由としては、挿入終了点４ｅの厚みｔがスリーブ４の内径Ｄの０．１５倍未満であれば、プラグフェルール１０を把持するのに不十分な厚みであることと、プラグフェルール１０の横荷重に対して、スリーブ４の曲げ破壊が生じるからである。
【００４１】
また０．２５倍以上であれば、全体的な把持力が大きくなりすぎて、プラグフェルール１０の挿抜が容易でなくなるからである。
【００４２】
次に、開放端部４ａの厚みＴがスリーブ４の内径Ｄの０．２５倍未満であれば、本発明の安定した保持状態を確保できなくなり、プラグフェルール１０の横荷重に対してプラグフェルール１０とファイバスタブ２の相互の光ファイバ接続部にすべりが生じることにより、光ファイバの端面を痛めてしまい、光信号の導入導出に於ける信頼性が低下してしまう。
【００４３】
また、０．３５倍以上であれば、プラグフェルール１０の挿入時に入り口での把持力が大きくなりすぎて、プラグフェルール１０の挿抜が容易でなくなるからである。
【００４４】
上記図２（ａ）〜（ｃ）のスリーブ４の製造方法は、ジルコニアとした場合には、図２（ａ）では、射出成形やプレス成形にて形状を作っておき、焼成後スリット４ｄを研削加工することができる。また、図２（ｂ）または図２（ｃ）では射出成形やプレス成形にて形状を作っておき、焼成後スリット４ｄを研削加工することができるし、押し出し成形にて円筒状の形状を作っておき焼成後外周面４ｂとスリット４ｃを研削加工することができる。
【００４５】
また、プラスチックス製とした場合は金型を工夫すればいかなる形状でも容易に製造することが出来る。
【００４６】
以上のように、挿入終了点４ｅの厚みが最小径で、開放端部４ａが最大径となるようにテーパ状に厚くなっているか、階段状に大きくなっても、本発明の効果を同等に奏することができる。
【００４７】
また、スリット４ｄは開放端部４ａから他端まで連続していても良いし、開放端部４ａから挿入終了点４ｅまで形成し、該挿入終了点４ｅから他端まではスリットを形成しない構造であってもかまわない。
【００４８】
ここで、挿入終了点４ｅとはスリーブ４の内周面４ｃにファイバスタブ１が挿入されているファイバスタブ先端面８の位置を意味する。
【００４９】
ここで、フェルール２はジルコニアセラミックスで形成することが好ましい。具体的には、ＺｒＯ２を主成分とし、Ｙ２Ｏ３、ＣａＯ、ＭｇＯ、ＣｅＯ２、Ｄｙ２Ｏ３などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから、圧入によって固定する際に有利である。
【００５０】
上記フェルール２に光ファイバ３を接着固定したファイバスタブ１の先端面８は、プラグフェルール１０との接続損失を低減させるため曲率半径５〜３０ｍｍ程度の曲面状に加工され、ファイバスタブ１の後端面９はＬＤ（レーザダイオード）等の光素子から出射された光信号が光ファイバ３の端面で反射して光素子に戻る反射光を防止するため４〜１０°程度の傾斜面に鏡面研磨されている。
【００５１】
また、スリーブケース６は、後述のホルダ５と安定して接続させるためのものであり、耐摩耗性、溶接性を配慮する必要がないため、ステンレス、銅、鉄、ニッケル、プラスチック、ジルコニア、アルミナなどの幅広い材料が用いられるが、主にはホルダ５と熱膨張係数を合わせ、信頼性を高めるため、ホルダ５と同様、ステンレスが用いられる。
【００５２】
ホルダ５はファイバスタブ１の一方端部がスリーブケース６に収納されたスリーブ４に挿入固定された状態で、そのスリーブケース６の外周に嵌り込んで収納する円筒状の収納部５ａと、その収納部５ａのほぼ中心に形成しファイバスタブ１の他方端部が固定される貫通孔を有するファイバスタブ固定部５ｂとから成る。
【００５３】
ホルダ５は光モジュールとして図３の光素子１１等を収納するケース１３と溶接することが多いため、ステンレス、銅、鉄、ニッケルなどの溶接が可能な材料が用いられるが、主には耐腐食性と溶接性を考慮して、ステンレスが用いられる。
【００５４】
なお、ファイバスタブ１がファイバスタブ固定部５ｂへ固定される固定方法としては、圧入しても良く、接着しても良い。さらに、圧入と接着を併用することによって固定しても構わない。いずれの場合も、ファイバスタブ１の外径をホルダ５のファイバスタブ固定部の内径よりも１〜２０μｍ大きくすることが望ましく、この場合にＬＣコネクタに使用されるφ１．２５ｍｍフェルールにおいても、ファイバスタブ１の固定強度をより適正に保つことができる。
【００５５】
また、ホルダ５のファイバスタブ固定部５ｂの内周面の算術平均粗さ（Ｒａ）を０．１μｍより小さくすることは加工上非常に困難であり、また加工したとしてもコストが大幅に増大するため表面粗さは０．１μｍ以上あることが好ましい。
【００５６】
かくして、本発明の構成によれば、プラグフェルール１０を把持する把持力をスリーブ４の一方の開放端部付近で最も強くなる補強構造としたことにより、安定した保持状態とすることができるため、スリーブ４の他方開放端部の把持力が一方開放端部の把持力に拘束されず十分にプラグフェルール１０に伝わり、プラグフェルール１０とファイバスタブ１の位置関係が安定することになり、接続損失の変動がなくなる。
【００５７】
更には、安定した保持状態であるため、相互の光ファイバ接続部にすべりが生じることなく、光ファイバ３の端面を痛めず、光信号の導入導出に於ける信頼性を向上させることができる。
【００５８】
なお、図１に示す本発明の光レセプタクル７を用いて光モジュールを構成する場合は、図３に示すように光レセプタクル７のファイバスタブ１を備えた後端側に、光素子１１とレンズ１２を備えたケース１３を溶接等により接合し、光素子１１からの光信号をファイバスタブ２に出射可能に構成するとよい。
【００５９】
【実施例】
本発明の図３に示す光レセプタクル７を用いた光モジュールと、比較例として図４に示す光レセプタクル１４を用いた光モジュールとを各１０個試作した。共にファイバスタブ１はジルコニアセラミックス製のフェルールにシングルモード光ファイバ３を接着固定し、その外径はφ２．５ｍｍとし、光レセプタクル７のファイバスタブ２備えた一方側に、光素子１１とレンズ１２を備えたケース１３をＹＡＧ溶接して光モジュールを完成した。
【００６０】
本発明の光レセプタクル７に用いたスリーブ４の内径Ｄをφ２．４９３ｍｍとして、厚みＴを０．９ｍｍ、厚みｔを０．４５ｍｍとした。また従来の光レセプタクル１４に用いたスリーブ１９の内径Ｄをφ２．４９３ｍｍとして、厚みを０．４５ｍｍでストレート形状とし、共にジルコニアセラミックスを用いた。
【００６１】
上記本発明と従来例の光モジュールにプラグフェルール１０、１５を挿入して、プラグフェルール１０、１５の後部に３Ｎの荷重をかけて接続損失の変動値を確認した。
【００６２】
その平均値の結果を、表１に示す。
【００６３】
【表１】
2004325605.tif 000003
【００６４】
以上より、従来例での光モジュールの接続損失の変動値は０．６８ｄＢであり、これに対し、本発明の光モジュールにおける接続損失の変動値は０．１２ｄＢとかなり変動値が少なくなるという結果となった。
【００６５】
これにより、安定した保持状態を保つことが可能となり、プラグフェルール１０とファイバスタブ２との相互の光ファイバ接続部にすべりが生じることなく、光ファイバ３の端面を痛めず、光信号の導入導出に於ける信頼性を向上させることができた。
【００６６】
【発明の効果】
以上のように、本発明の光レセプタクルによれば、フェルールの貫通孔に光ファイバを挿入固定したファイバスタブと、該ファイバスタブの先端部を一方の開放端部から挿入するとともに、他方の開放端部から挿入されたプラグフェルールを上記ファイバスタブの先端面に当接し、かつ、把持するためのスリーブとを備えた光レセプタクルにおいて、上記スリーブは、該スリーブのプラグフェルールを把持する把持力が、他方の開放端部付近で最も強くなる補強構造としたことにより、安定した保持状態とすることができるため、スリーブの他方開放端部の把持力がファイバスタブを把持した一方開放端部の把持力に拘束されず十分にプラグフェルールに伝わり、プラグフェルールとファイバスタブの位置関係が安定させることができ接続損失の変動がなくなる。
【図面の簡単な説明】
【図１】本発明の光レセプタクルの一実施形態を示す中央断面図である。
【図２】（ａ）〜（ｃ）は本発明のスリーブの様々な形状を示す断面図である。
【図３】本発明の光モジュールの一実施形態を示す中央断面図である。
【図４】従来の光モジュールを示す中央断面図である。
【図５】従来の他の光レセプタクルを示す中央断面図である。
【図６】従来の他の光モジュールを示す中央断面図である。
【符号の説明】
１：ファイバスタブ
２：フェルール
３：光ファイバ
４：スリーブ
４ａ：開放端
４ｂ：外周面
４ｃ：内周面
４ｄ：スリット
４ｅ：挿入終了点
５：ホルダ
５ａ：収納部
５ｂ：固定部
６：スリーブケース
７：光レセプタクル
８：ファイバスタブの先端面
９：ファイバスタブの後端面
１０：プラグフェルール
１１：光素子
１２：レンズ
１３：ケース
１４：光レセプタクル
１５：プラグフェルール
１６：ファイバスタブ
１７：フェルール
１８：光ファイバ
１９：スリーブ
２０：ホルダ
２１：スリーブケース
２２：光素子
２３：レンズ
２４：ケース
２５：把持リング
２６：光レセプタクル
【図１】
2004325605.tif 000004
【図２】
2004325605.tif 000005
【図３】
2004325605.tif 000006
【図４】
2004325605.tif 000007
【図５】
2004325605.tif 000008
【図６】
2004325605.tif 000009